(57)【要約】【解決手段】光ファイバ心線接続箱Ａを収納するための光ファイバ心線接続箱用収納箱Ｈであって、前記光ファイバ心線接続箱の底部ａ１に、導入口ａ１ａと光ファイバ心線を保持する保持金具１とを設け、また、前記光ファイバ心線接続箱用収納箱の天部ｈ２に、光ファイバ心線複合架空地線Ｂが導入される導入口ｈ２ａを形成し、更に、前記光ファイバ心線接続箱用収納箱の底部ｈ１に、複数個の水抜孔ｈ１ａを穿設したものである。【効果】アルミ管に浸入した雨水はアルミ管の切断部の端部から放出されて、アルミ管内に溜まらず、従って、凍結による光ファイバ心線の圧迫が解消されて、心線の歪も無くなり、伝送特性の低下を解消でき、伝送品質を良好に保つことができる。【選択図】図６
2011007893.tif 000002
【特許請求の範囲】
【請求項１】
光ファイバ心線接続箱を収納するための光ファイバ心線接続箱用収納箱であって、前記光ファイバ心線接続箱の底部には、導入口と光ファイバ心線を保持する保持金具とが設けられており、また、前記光ファイバ心線接続箱用収納箱の天部には、光ファイバ心線複合架空地線が導入される導入口が形成されており、更に、前記光ファイバ心線接続箱用収納箱の底部には、複数個の水抜孔が穿設されていることを特徴とする光ファイバ心線接続箱用収納箱。
【発明の詳細な説明】
【技術分野】
【０００１】
本発明は、送電線鉄塔の上部に架設された光ファイバ心線複合架空地線同士、又は、光ファイバ心線複合架空地線引下げ用光ファイバケーブル同士を接続するための光ファイバ心線接続箱を収納するための光ファイバ心線接続箱用収納箱に関するものである。
【背景技術】
【０００２】
鉄塔の上部に架設された光ファイバ心線複合架空地線や光ファイバ心線複合架空地線引下げ用光ファイバケーブル同士を接続する場合、光ファイバ心線複合架空地線接続箱（以下、単に、光ファイバ心線接続箱と称する。）が用いられている。
【０００３】
図１に示すように、光ファイバ心線接続箱Ａは、箱型に形成された接続箱本体Ａ１と、接続箱本体Ａ１に雨水等が入り込まないように、接続箱本体Ａ１に被蓋される図示されていない蓋体とから構成されている。接続箱本体Ａ１は、底部ａ１と、該底部ａ１と相対する天部ａ２と、相対する垂直側部ａ３、ａ３と、奥壁部ａ４とから構成されている。
【０００４】
接続箱本体Ａ１の底部ａ１には、光ファイバ心線接続箱Ａ内に光ファイバ心線複合架空地線Ｂを引き込むための導入口ａ１ａが設けられており、また、導入口ａ１ａが位置する底部ａ１の下面部には、把持金具１が配設されている。光ファイバ心線複合架空地線Ｂは、把持金具１で把持され、光ファイバ心線複合架空地線Ｂが、光ファイバ心線接続箱Ａ内に引き込まれることになる。
【０００５】
光ファイバ心線複合架空地線Ｂは、図２に示すように、その中心部に、光ファイバ心線ユニットＢ１が配設されており、光ファイバ心線ユニットＢ１は、一例として、図２に示されているように、６心の光ファイバ心線ｂ１からなり、６心の光ファイバ心線ｂ１からなる光ファイバ心線ユニットＢ１が、３個、配置されている。また、光ファイバ心線ｂ１の外周に沿って、アルミスぺーサＢ２が設けられており、アルミスペーサＢ２及び光ファイバ心線ユニットＢ１が、アルミ管Ｂ３の内に収容されており、更に、アルミ管Ｂ３の外周には、アルミ覆鋼線Ｂ４が配置されている。図２には、８本のアルミ覆鋼線Ｂ４が配置されている例が示されている。
【０００６】
上述したような構成を有する光ファイバ心線複合架空地線Ｂ同士の接続する場合には、鉄塔Ｔ等の上部に架設された光ファイバ心線複合架空地線Ｂを、地上近くに配置された光ファイバ心線接続箱Ａまで引き下げる。地上近くに配置された光ファイバ心線接続箱Ａまで引き下げられた光ファイバ心線複合架空地線Ｂには、図４に示されているように、光ファイバ心線接続箱Ａより低い位置にて略Ｕ字状の曲部Ｂ’が形成され、次いで、光ファイバ心線複合架空地線Ｂを、光ファイバ心線接続箱Ａ内に導入するとともに、光ファイバ心線複合架空地線Ｂのアルミ覆鋼線Ｂ４を、把持金具１で把持する。その後、光ファイバ心線接続箱Ａ内にて、アルミ覆鋼線Ｂ４を所定の長さに切断して、アルミ管Ｂ３を露出し、更に、アルミ管Ｂ３を所定の長さに切断して、光ファイバ心線ユニットＢ１を構成する光ファイバ心線ｂ１を露出するとともに、アルミスペーサＢ２を切除して、アルミ管Ｂ３を、光ファイバ心線接続箱Ａのスペーサ取付具２に取り付け、次いで、光ファイバ心線ｂ１を取り出して、光ファイバ心線ｂ１同士の接続等を、蓋体が取り外された光ファイバ心線接続箱Ａ内で行い、光ファイバ心線接続箱Ａの収納トレイ３に光ファイバ心線ｂ１を収納する。
【０００７】
上述した、送電線路を落雷等から防護するための避雷等の機能を有するための架空地線と、送電線路等を管理等する光ファイバ心線からなる通信線路とからなる光ファイバ心線複合架空地線Ｂを収容する光ファイバ心線接続箱Ａが、一例として、特許文献１に開示されている。
【先行技術文献】
【特許文献】
【０００８】
【特許文献１】特開平１１−２７１５５５号公報
【発明の概要】
【発明が解決しようとする課題】
【０００９】
ところで、光ファイバ心線複合架空地線Ｂは、常時、強い張力を受け、且つ、長期間設置されているために、損傷を受けることがある。このような損傷の多くは、光ファイバ心線ｂ１を内包するアルミ管Ｂ３に亀裂やクラックが発生することである。
【００１０】
アルミ管Ｂ３に亀裂等が生じると、雨水等が、アルミ覆鋼線Ｂ４とアルミ管Ｂ３の間に侵入し、更に、クラック個所からアルミ管Ｂ３内に雨水が入り込み、雨水等が、アルミ管Ｂ３とアルミスペーサＢ２との間に浸入することになる。
【００１１】
ところで、上述したように、地上近くに配置された光ファイバ心線接続箱Ａまで引き下げられた光ファイバ心線複合架空地線Ｂには、光ファイバ心線接続箱Ａより低い位置にて略Ｕ字状の曲部Ｂ’が形成されることになるが、クラックが生じたアルミ管Ｂ３に侵入した雨水は、略Ｕ字状の曲部Ｂ’に溜まり、更には、光ファイバ心線接続箱Ａの内部まで浸水するという問題がある。
【００１２】
また、アルミ管Ｂ３に雨水が浸入し凍結すると、アルミ管Ｂ３内の光ファイバ心線ｂ１を圧迫して変形させ、光ファイバ心線ｂ１の伝送特性の損失による伝送品質の低下が生じるという問題があった。特に、略Ｕ字状に曲げられた曲部Ｂ’に雨水が溜まり易く、従来より、このような問題の改善が望まれていた。
【００１３】
本発明の目的は、上述した従来のように光ファイバ心線複合架空地線接続箱が有する課題を解決することにある。
【課題を解決するための手段】
【００１４】
本発明は、上述した目的を達成するために、光ファイバ心線接続箱を収納するための光ファイバ心線接続箱用収納箱であって、前記光ファイバ心線接続箱の底部に、導入口と光ファイバ心線を保持する保持金具とを設け、また、前記光ファイバ心線接続箱用収納箱の天部に、光ファイバ心線複合架空地線が導入される導入口を形成し、更に、前記光ファイバ心線接続箱用収納箱の底部に、複数個の水抜孔を穿設したものである。
【発明の効果】
【００１５】
本発明は、上述した構成を有しているので、以下に記載する効果を奏することができる。
【００１６】
光ファイバ心線接続箱を収納するための光ファイバ心線接続箱用収納箱であって、前記光ファイバ心線接続箱の底部に、導入口と光ファイバ心線を保持する保持金具とを設け、また、前記光ファイバ心線接続箱用収納箱の天部に、光ファイバ心線複合架空地線が導入される導入口を形成し、更に、前記光ファイバ心線接続箱用収納箱の底部に、複数個の水抜孔を穿設したので、アルミ管に浸入した雨水はアルミ管の切断部の端部から放出されて、アルミ管内に溜まらず、従って、凍結による光ファイバ心線の圧迫が解消されて、心線の歪も無くなり、伝送特性の低下を解消でき、伝送品質を良好に保つことができる。
【００１７】
また、アルミ管から放出された雨水は、光ファイバ心線接続箱用収納箱の底部に穿設された水抜孔から、光ファイバ心線接続箱用収納箱外に放出されることができる。
【図面の簡単な説明】
【００１８】
【図１】図１は、本発明の光ファイバ心線複合架空地線接続箱の蓋体を開放した状態の正面図である。
【００１９】
【図２】図２は、本発明の光ファイバ心線複合架空地線の構成横断面図である。
【００２０】
【図３】図３は、光ファイバ心線架空地線同士の光ファイバ心線複合架空地線接続箱への引き込みを示す概略図である。
【００２１】
【図４】図４は、鉄塔から引き下げられた状態の光ファイバ心線複合架空地線の状態を示す概略正面図である。
【００２２】
【図５】図５は、本発明の光ファイバ心線接続箱用収納箱の正面図である。
【００２３】
【図６】図６は、本発明の光ファイバ心線接続箱用収納箱から蓋体が取り除かれた状態の光ファイバ心線接続箱用収納箱の正面図である。
【００２４】
【図７】図７は、本発明の光ファイバ心線接続箱用収納箱の裏面図である。
【００２５】
【図８】図８は、本発明を構成する複合架空地線把持金具の平面図である。
【００２６】
【図９】図９は、本発明を構成する複合架空地線把持金具の垂直断面図である。
【００２７】
【図１０】図１０は、本発明の光ファイバ心線接続箱用収納箱に収納された光ファイバ心線複合架空地線接続箱に導入架空地線を剥離し切断しアルミ管が取り除かれた状態の光ファイバ心線が収納された状態の概略図である。
【実施例】
【００２８】
以下に、本発明の実施例について説明するが、本発明の趣旨を越えない限り、何ら、実施例に限定されるものではない。
【００２９】
なお、上述した光ファイバ心線接続箱Ａや光ファイバ心線複合架空地線Ｂの構成は、本発明においても同じであるので、その詳細な説明は省略するとともに、同じ構成部材については、同じ符号を使用する。
【００３０】
図５〜図７に示されているように、Ｈは、その内部に、光ファイバ心線接続箱Ａが収容される光ファイバ心線接続箱用収納箱であり、光ファイバ心線接続箱用収納箱Ｈは、収納箱本体Ｈ１と観音開き状の蓋体Ｈ２とから構成されており、収納箱本体Ｈ１は、底部ｈ１と、該底部ｈ１と相対する天部ｈ２と、相対する垂直壁部ｈ３、ｈ３と、奥壁部ｈ４とから構成されている。また、収納箱本体Ｈ１の天部ｈ２には、光ファイバ心線複合架空地線Ｂが導入される導入口ｈ２ａが形成されているとともに、導入口ｈ２ａが位置する天部ｈ２には、複合架空地線把持金具４が取り付けられている。
【００３１】
図８及び図９に示されているように、複合架空地線把持金具４の一方の端部４ａには、光ファイバ心線複合架空地線Ｂが挿入される挿入部４ｂと、複合架空地線把持金具４の長手方向（水平方向）の全体に亘たって、且つ、その中心線４ｃに沿って、貫通孔４ｄが形成されており、更に、貫通孔４ｄを境にして、複合架空地線把持金具４は、長手方向の略中心部分４ｅまで２分割されている。このように分割された一対の分割部４ｆは、遊動状態に構成されており、一方の分割部４ｆともう一方の分割部４ｆとは、分割部４ｆに穿設された図示されていないボルト挿通孔にボルト４ｇを挿通するとともに、ボルト４ｇにナット４ｈを螺合させることにより、一対の分割部４ｆが締め付け固定されるように構成されている。
【００３２】
光ファイバ心線接続箱用収納箱Ｈの天部ｈ２に穿設された導入口ｈ２ａに、複合架空地線把持金具４のもう一方の端部４ｉを挿入するとともに、グロメット４ｊを介して、適当な取付部材４ｋにより、光ファイバ心線接続箱用収納箱Ｈに、複合架空地線把持金具４が取り付けられるように構成されている。また、もう一方の端部４ｉ付近の貫通孔４ｄを囲むように、グロメット４ｍが配設されている。
【００３３】
複合架空地線把持金具４を構成する貫通孔４ｄのもう一方の端部４ｉに、グロメット４ｍを介して、嵌合部材５を嵌合することにより、複合架空地線把持金具４に、嵌合部材５が取り付けられるように構成されている。また、光ファイバ心線接続箱用収納箱Ｈの収納箱本体Ｈ１を構成する底部ｈ１には、複数個の水抜孔ｈ１ａが穿設されている。
【００３４】
光ファイバ心線接続箱用収納箱Ｈの収納箱本体Ｈ１を構成する奥壁部ｈ４には、上述した光ファイバ心線接続箱Ａが取り付けられるように、取付脚ｈ４ａが配置されている。また、光ファイバ心線接続箱Ａが配設される光ファイバ心線接続箱用収納箱Ｈの中央空間部を除く左右の側部空間部Ｓ１には、光ファイバ心線複合架空地線Ｂを構成する光ファイバ心線ユニットＢ１が導入されるように構成されている。
【００３５】
次に、上述したような構成部材を有する光ファイバ心線接続箱用収納箱Ｈの組み立てについて、図１０等を用いて説明する。
【００３６】
先ず最初に、光ファイバ心線接続箱用収納箱Ｈの収納箱本体Ｈ１を構成する天部ｈ２に穿設された導入口ｈ２ａに、複合架空地線把持金具４を挿入し、複合架空地線把持金具４を、収納箱本体Ｈ１を構成する天部ｈ２に取り付ける。
【００３７】
次いで、収納箱本体Ｈ１の奥壁部ｈ４に形成された取付脚ｈ４ａに、光ファイバ心線接続箱Ａを、適当な固着部材を介して、取り付ける。このようにして、光ファイバ心線接続箱が取り付けられた光ファイバ心線接続箱用収納箱Ｈを、鉄塔Ｔに取り付ける。
【００３８】
鉄塔Ｔの上部に架設された光ファイバ心線複合架空地線Ｂを引き下げるとともに、所定の長さにアルミ覆鋼線Ｂ４を切断して、アルミ覆鋼線Ｂ４を、収納箱本体Ｈ１に取り付けた複合架空地線把持金具４の挿入部４ｂに挿入し、更に、アルミ管Ｂ３を、複合架空地線把持金具４の貫通孔４ｄを通しておき、アルミ覆鋼線Ｂ４を、一対の分割部４ｆによりボルト４ｇとナット４ｈとにより締め付けることにより、アルミ覆鋼線Ｂ４を、収納箱本体Ｈ１に取り付ける。
【００３９】
その後、複合架空地線把持金具４の貫通孔４ｄを通して、光ファイバ心線接続箱用収納箱Ｈ内に挿入されたアルミ管Ｂ３は、側部空間部Ｓ１内にて、アルミ管Ｂ３が切断されて、光ファイバ心線ユニットＢ１を構成する光ファイバ心線ｂ１が露出される。切断されたアルミ管Ｂ３の切断端部は、下方方向、即ち、収納箱本体Ｈ１を構成する底部ｈ１に向けて配置されるように構成されている。
【００４０】
次いで、アルミ管Ｂ３から露出された光ファイバ心線ｂ１は、収納箱本体Ｈ１の内部を通り、接続箱本体Ａ１の底部ａ１に穿設された導入口ａ１ａに導入され、光ファイバ心線ｂ１同士を接続し接続部を、収納トレイ３に収納して接続作業がを終了する。
【００４１】
本願の光ファイバ心線接続箱用収納箱Ｈは、上述したように、光ファイバ心線ｂ１同士を接続する収納トレイ３を有する光ファイバ心線接続箱Ａを、光ファイバ心線接続箱用収納箱Ｈ内に設置し、光ファイバ複合架空地線Ｂを光ファイバ心線接続箱Ａに導入して、アルミ管Ｂ３を、光ファイバ心線接続箱用収納箱Ｈ内にて切断し、露出された光ファイバ心線ｂ１だけを、光ファイバ心線接続箱Ａに導入したので、アルミ管Ｂ３の曲部も無く、雨水も光ファイバ心線接続箱Ａに浸入することがなくなり、雨水から生じる上述した問題点は解消され、伝送特性の品質の向上が図られる。
【００４２】
また、光ファイバ心線接続箱用収納箱Ｈに導入した光ファイバ心線複合架空地線Ｂのアルミ管Ｂ３を切断して露出させて、アルミ管Ｂ３の切断端部を複合架空地線配置部に配置するとともに、アルミ管Ｂ３の切断端部を下向きにして配置したことで、アルミ管Ｂ３の破損等で浸入した雨水等は、アルミ管Ｂ３の切断端部から放出されることになる。次いで、放出された雨水等は、光ファイバ心線接続箱用収納箱Ｈの収納箱本体Ｈ１を構成する底部ｈ１に穿設された水抜孔ｈ１ａから、光ファイバ心線接続箱用収納箱Ｈの箱外に放出される。そのため、アルミ管Ｂ３に浸入した雨水による損傷を回避することができる。
【００４３】
更に、光ファイバ心線複合架空地線Ｂは、光ファイバ心線接続箱用収納箱Ｈの上部から導入したので、略Ｕ字状の曲部Ｂ’が形成されることがなく、従って、光ファイバ心線ｂ１のストレスも緩和でき、伝送品質をより向上することができる。
【符号の説明】
【００４４】
Ａ・・・・・・・・・・光ファイバ心線接続箱
Ｂ・・・・・・・・・・光ファイバ心線複合架空地線
Ｂ１・・・・・・・・・光ファイバ心線ユニット
ｂ１・・・・・・・・・光ファイバ心線
Ｂ２・・・・・・・・・アルミスペーサ
Ｂ３・・・・・・・・・アルミ管
Ｂ４・・・・・・・・・アルミ覆鋼線
Ｈ・・・・・・・・・・光ファイバ心線接続箱用収納箱
ｈ１ａ・・・・・・・・水抜孔
【図１】
2011007893.tif 000003
【図２】
2011007893.tif 000004
【図３】
2011007893.tif 000005
【図４】
2011007893.tif 000006
【図５】
2011007893.tif 000007
【図６】
2011007893.tif 000008
【図７】
2011007893.tif 000009
【図８】
2011007893.tif 000010
【図９】
2011007893.tif 000011
【図１０】
2011007893.tif 000012